【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
分離されたポリヌクレオチドであって：
（ａ）ポリペプチドをコード化するポリヌクレオチドであって、そのポリペプチドが配列番号２又はその断片又は類似物から選ばれる配列を含む第２のポリペプチドと少なくとも８０％の同一性を有し；
（ｂ）ポリペプチドをコード化するポリヌクレオチドであって、そのポリペプチドが配列番号２又はその断片又は類似物から選ばれる配列を含む第２のポリペプチドと少なくとも９５％の同一性を有し；
（ｃ）ポリペプチドをコード化するポリヌクレオチドであって、そのポリペプチドが配列番号２又はその断片又は類似物から選ばれる配列を含み；
（ｄ）ポリペプチドをコード化するポリヌクレオチドであって、そのポリペプチドが配列番号２又はその断片又は類似物から選ばれる配列を含むポリペプチドのための結合特異性を有する抗体を生じさせ得；
（ｅ）ポリペプチドのエピトープ関連部分をコード化するポリヌクレオチドであって、そのポリペプチドが配列番号２又はその断片又は類似物から選ばれる配列を含み；
（ｆ）配列番号１又はその断片又は類似物から選ばれる配列を含むポリヌクレオチド；
（ｇ）（ａ）、（ｂ）、（ｃ）、（ｄ）、（ｅ）又は（ｆ）中のポリヌクレオチドに相補的なポリヌクレオチド
から選ばれるポリヌクレオチドを含むことを特徴とするポリヌクレオチド。
【請求項２】
分離されたポリヌクレオチドであって：
（ａ）ポリペプチドをコード化するポリヌクレオチドであって、そのポリペプチドが配列番号２から選ばれる配列を含む第２のポリペプチドと少なくとも８０％の同一性を有し；
（ｂ）ポリペプチドをコード化するポリヌクレオチドであって、そのポリペプチドが配列番号２から選ばれる配列を含む第２のポリペプチドと少なくとも９５％の同一性を有し；
（ｃ）ポリペプチドをコード化するポリヌクレオチドであって、そのポリペプチドが配列番号２から選ばれる配列を含み；
（ｄ）ポリペプチドをコード化するポリヌクレオチドであって、そのポリペプチドが配列番号２から選ばれる配列を含むポリペプチドのための結合特異性を有する抗体を生じさせ得；
（ｅ）ポリペプチドのエピトープ関連部分をコード化するポリヌクレオチドであって、そのポリペプチドが配列番号２から選ばれる配列を含み；
（ｆ）配列番号１から選ばれる配列を含むポリヌクレオチド；
（ｇ）（ａ）、（ｂ）、（ｃ）、（ｄ）、（ｅ）又は（ｆ）中のポリヌクレオチドに相補的なポリヌクレオチド
から選ばれるポリヌクレオチドを含むことを特徴とするポリヌクレオチド。
【請求項３】
請求項１記載のポリヌクレオチドであって、
（ａ）ポリペプチドをコード化するＤＮＡ配列又は
（ｂ）ポリペプチドをコード化するＤＮＡ配列の相補物のいずれかに、
厳密な条件下でハイブリダイズし；
前記ポリペプチドが配列番号２又はその断片又は類似物を含む、ポリヌクレオチド。
【請求項４】
請求項２記載のポリヌクレオチドであって、
（ａ）ポリペプチドをコード化するＤＮＡ配列又は
（ｂ）ポリペプチドをコード化するＤＮＡ配列の相補物のいずれかに、
厳密な条件下でハイブリダイズし；
前記ポリペプチドが配列番号２を含む、ポリヌクレオチド。
【請求項５】
請求項１記載のポリヌクレオチドであって、
（ａ）ポリペプチドをコード化するＤＮＡ配列又は
（ｂ）ポリペプチドをコード化するＤＮＡ配列の相補物のいずれかに、
厳密な条件下でハイブリダイズし；
前記ポリペプチドが配列番号２又はその断片又は類似物を含むポリペプチドからの少なくとも１０個の近接するアミノ酸残基を含む、ポリヌクレオチド。
【請求項６】
請求項２記載のポリヌクレオチドであって、
（ａ）ポリペプチドをコード化するＤＮＡ配列又は
（ｂ）ポリペプチドをコード化するＤＮＡ配列の相補物のいずれかに、
厳密な条件下でハイブリダイズし；
前記ポリペプチドが配列番号２を含むポリペプチドからの少なくとも１０個の近接するアミノ酸残基を含む、ポリヌクレオチド。
【請求項７】
ベクターであって、請求項１記載のポリヌクレオチドを含み、前記ＤＮＡが発現調節領域に操作可能に連結していることを特徴とするベクター。
【請求項８】
宿主細胞であって、請求項７記載のベクターでトランスフェクトされていることを特徴とする宿主細胞。
【請求項９】
ポリペプチドの製造方法であって、請求項８記載の宿主細胞を前記ポリペプチドの発現に適切な条件下で培養することを含むことを特徴とするポリペプチドの製造方法。
【請求項１０】
分離されたポリペプチドであって：
（ａ）配列番号２又はその断片又は類似物を含むアミノ酸配列を有する第２のポリペプチドと少なくとも８０％の同一性を有するポリペプチド；
（ｂ）配列番号２又はその断片又は類似物を含むアミノ酸配列を有する第２のポリペプチドと少なくとも９５％の同一性を有するポリペプチド；
（ｃ）配列番号２又はその断片又は類似物から選ばれる配列を含むポリペプチド；
（ｄ）配列番号２又はその断片又は類似物から選ばれる配列を含むポリペプチドのための結合特異性を有する抗体を生じさせ得るポリペプチド；
（ｅ）配列番号２又はその断片又は類似物から選ばれる配列を含むポリペプチドのエピトープ関連部分；
（ｆ）（ａ）、（ｂ）、（ｃ）、（ｄ）又は（ｅ）のポリペプチドであってＮ末端メチオニン残基が欠失しているポリペプチド；
（ｇ）（ａ）、（ｂ）、（ｃ）、（ｄ）又は（ｅ）のポリペプチドであって分泌性のアミノ酸配列が欠失しているポリペプチド
から選ばれるポリペプチドを含むことを特徴とするポリペプチド。
【請求項１１】
分離されたポリペプチドであって：
（ａ）配列番号２を含む第２のポリペプチドと少なくとも８０％の同一性を有するポリペプチド；
（ｂ）配列番号２を含む第２のポリペプチドと少なくとも９５％の同一性を有するポリペプチド；
（ｃ）配列番号２を含むポリペプチド；
（ｄ）配列番号２を含むポリペプチドのための結合特異性を有する抗体を生じさせ得るポリペプチド；
（ｅ）配列番号２を含むポリペプチドのエピトープ関連部分；
（ｆ）（ａ）、（ｂ）、（ｃ）、（ｄ）又は（ｅ）のポリペプチドであってＮ末端メチオニン残基が欠失しているポリペプチド；
（ｇ）（ａ）、（ｂ）、（ｃ）、（ｄ）又は（ｅ）のポリペプチドであって分泌性のアミノ酸配列が欠失しているポリペプチド
から選ばれるポリペプチドを含むことを特徴とするポリペプチド。
【請求項１２】
キメラポリペプチドであって、配列番号２又はその断片又は類似物から選ばれる配列を有する２種又はそれより多いポリペプチドを含み；ポリペプチドがキメラのポリペプチドを形成するように連結するのを条件とすることを特徴とするキメラポリペプチド。
【請求項１３】
キメラポリペプチドであって、配列番号２から選ばれる配列を有する２種又はそれより多いポリペプチドを含み；ポリペプチドがキメラのポリペプチドを形成するように連結するのを条件とすることを特徴とするキメラポリペプチド。
【請求項１４】
薬学組成物であって、請求項１０〜１３のいずれか一項記載のポリペプチド及び薬学上許容できる担体、希釈剤又は補助剤を含有することを特徴とする薬学組成物。
【請求項１５】
グループＢ連鎖球菌（ＧＢＳ）の感染を受け易い宿主におけるＧＢＳ感染の予防的な処置又は治療的な処置のための使用であって、前記宿主に、請求項１４記載の組成物の予防的な量又は治療的な量の投与を含むことを特徴とする使用。
【請求項１６】
宿主が新生仔又は幼児であるとき、前記感染が、敗血症、髄膜炎、肺炎、蜂窩織炎、骨髄炎、敗血症性関節炎、心内膜炎又は喉頭蓋を生じさせるものであり、宿主が妊婦であるとき、前記感染が、軽度の尿路感染から重篤な敗血症まで、及び髄膜炎、骨髄炎、心内膜炎、羊膜炎、子宮内膜炎、創傷感染、蜂窩織炎又は筋膜炎をも含むものをもたらすものであり、又は宿主が非妊娠成体であるとき、前記感染が、一次菌血症、皮膚又は軟部組織感染、肺炎、尿性敗血症、心内膜炎、腹膜炎、髄膜炎又は膿症を生じさせるものである、請求項１５記載の使用。
【請求項１７】
宿主が酪農用家畜の群れの一員である請求項１５記載の使用。
【請求項１８】
前記感染が乳腺炎を生じさせる請求項１７記載の使用。
【請求項１９】
ＧＢＳ感染を受け易い宿主におけるＧＢＳ感染の診断のための使用であって、
（ａ）宿主から生物学的試料を得ること；
（ｂ）請求項１０〜１３のいずれか一項記載のポリペプチドと反応する抗体又はその断片を生物学的試料と共にインキュベートし混合物を形成すること；及び
（ｃ）連鎖球菌の存在を示す混合物中の特異的に結合した抗体又は結合した断片を検出すること
を含むことを特徴とする使用。
【請求項２０】
ＧＢＳ感染を受け易い宿主におけるＧＢＳ感染の診断のための使用であって、
（ａ）宿主から生物学的試料を得ること；
（ｂ）請求項１０〜１３のいずれか一項記載の１種又はそれより多いポリペプチド又はその断片を生物学的試料と共にインキュベートし混合物を形成すること；及び
（ｃ）連鎖球菌に特異的な抗体の存在を示す混合物中の特異的に結合した抗原又は結合した断片を検出すること
を含むことを特徴とする使用。
【請求項２１】
薬学組成物の使用であって、請求項１４記載の薬学組成物を連鎖球菌感染の予防的な処置又は治療的な処置のための薬の製造に用いることを特徴とする薬学組成物の使用。
【請求項２２】
ポリペプチドを含むキットであって、連鎖球菌感染の検出又は診断のための請求項１０〜１３のいずれか一項記載のポリペプチドを含むことを特徴とするキット。